(57)【要約】【課題】利用者や利用形態に応じた電気機器のオン／オフの制御を、簡易な構成で行うことのできる技術を提供する。【解決手段】制御装置１の記憶部には、利用者を識別する利用者ＩＤとコンセント機器２を識別する機器ＩＤとの対応関係が記憶されている。利用者は、家屋１００から退出する際に、自身の所有するタグ３をリーダに読み取らせることによって自身の利用者ＩＤを情報入力部に入力する。制御装置１の制御部は、情報入力部から供給される信号に応じて、家屋１００から退出する利用者を特定する。制御部は、特定した利用者に対応する機器を、記憶部の記憶内容を参照して特定し、特定した機器に対して、予め定められた制御情報を無線によって送信する。コンセント機器２は、制御装置１から制御情報を受信すると、プラグ部から差込口部への電力の供給を遮断する。【選択図】図１
2013070326.tif 000002
【特許請求の範囲】
【請求項１】
電力入力部と、前記電力入力部から得られる電力を出力する電力出力部と、他の装置と無線により通信を行う無線通信部と、当該無線通信部が受信した制御情報に応じて前記電力入力部から前記電力出力部への電力の供給状態を制御する電力供給制御部とを備えるコンセント機器が設置された空間を利用する利用者及び前記空間の利用形態の少なくともいずれか一方を示す利用情報を特定するための情報が入力される情報入力部から供給される信号に応じて、前記利用情報を特定する第１の特定部と、
前記コンセント機器を識別する機器識別子と前記利用情報との対応関係を記憶する記憶部の記憶内容を参照して、前記第１の特定部によって特定された利用情報に対応する機器識別子を特定する第２の特定部と、
前記第２の特定部によって特定された機器識別子の示すコンセント機器に対して、前記制御情報を無線通信によって送信する送信部と
を具備することを特徴とする制御装置。
【請求項２】
前記情報入力部から供給される信号に応じて、前記空間から退出した利用者の利用者識別子を前記記憶部に逐次記憶する退出者記憶制御部
を具備し、
前記記憶部は、前記利用者識別子の組み合わせパターンと１又は複数の前記機器識別子との対応関係を記憶し、
前記第２の特定部は、前記退出者記憶制御部によって記憶された利用者識別子の組み合わせパターンに対応する機器識別子を、前記記憶部の記憶内容を参照して特定する
ことを特徴とする請求項１に記載の制御装置。
【請求項３】
前記情報入力部から供給される信号に応じて、前記空間から退出した利用者の退出順序を示す情報を前記記憶部に記憶する退出順序記憶制御部
を具備し、
前記記憶部は、前記利用者の退出順序と１又は複数の前記機器識別子との対応関係を記憶し、
前記第２の特定部は、前記退出順序記憶制御部によって記憶された情報に対応する機器識別子を、前記記憶部の記憶内容を参照して特定する
ことを特徴とする請求項１に記載の制御装置。
【請求項４】
前記情報入力部は、通信ネットワークを介して他の装置から、前記利用情報を受信する
ことを特徴とする請求項１乃至３のいずれか１項に記載の制御装置。
【請求項５】
前記電力入力部は、配線から電力を得るための差込口に差込可能なプラグであり、前記電力出力部は、前記差込口に差込可能なプラグが差込可能な差込口である
ことを特徴とする請求項１乃至４のいずれか１項に記載の制御装置。
【請求項６】
制御装置と、１又は複数のコンセント機器とを備える電力供給制御システムであって、
前記コンセント機器は、
電力入力部と、
前記電力入力部から得られる電力を出力する電力出力部と、
他の装置と無線により通信を行う無線通信部と、
前記無線通信部が受信した制御情報に応じて前記電力入力部から前記電力出力部への電力の供給状態を制御する電力供給制御部と
を備え、
前記制御装置は、
情報入力部から供給される信号に応じて、前記コンセント機器が設置された空間を利用する利用者及び前記空間の利用形態の少なくともいずれか一方を示す利用情報を特定する第１の特定部と、
前記コンセント機器を識別する機器識別子と前記利用情報との対応関係を記憶する記憶部の記憶内容を参照して、前記第１の特定部によって特定された利用情報に対応する機器識別子を特定する第２の特定部と、
前記第２の特定部によって特定された機器識別子の示すコンセント機器に対して、前記制御情報を無線通信によって送信する送信部と
を具備することを特徴とする電力供給制御システム。
【請求項７】
デッドボルトが移動することによって施錠がなされる錠に設けられ、当該デッドボルトの位置の変化を検出する検出部から出力される信号に応じて、施錠がなされたか否かを判定する判定部と、
前記判定部によって施錠がなされたと判定された場合に、電力入力部と、前記電力入力部から得られる電力を出力する電力出力部と、他の装置と無線により通信を行う無線通信部と、当該無線通信部が受信した制御情報に応じて前記電力入力部から前記電力出力部への電力の供給状態を制御する電力供給制御部とを備える１又は複数のコンセント機器に対して、当該制御情報を無線通信によって送信する送信部と
を具備することを特徴とする制御装置。
【発明の詳細な説明】
【技術分野】
【０００１】
本発明は、制御装置及び電力供給制御システムに関する。
【背景技術】
【０００２】
利用者の室内への入室や室内からの退室に応じて、室内に設置された電機機器のオン／オフを制御する技術が提案されている。例えば、特許文献１には、扉を施錠すると、室内の電気機器への通電を強制的に停止させるシステムが開示されている。また、特許文献２には、入退室管理システムにおいて、利用者が居室に入室するときに、入口の扉からユーザの執務エリア（席）までの動線（通路）に相当する照明を点灯させる旨が開示されている。
【先行技術文献】
【特許文献】
【０００３】
【特許文献１】特開平７−１１１１２１号公報
【特許文献２】特開２０１０−１８３３２２号公報
【発明の概要】
【発明が解決しようとする課題】
【０００４】
しかしながら、特許文献１や特許文献２に記載のシステムを家屋に導入するためには、電気機器への通電を制御するための回路や配線が必要であり、導入が困難である場合があった。特に、既存の家屋に上述したシステムを導入しようとすると、導入のために必要となる工事が大規模なものとなってしまう場合があった。
本発明は上述した背景に鑑みてなされたものであり、利用者や利用形態に応じた電気機器のオン／オフの制御を行うシステムを、家屋等の建物に対して従来と比較して容易に導入することのできる技術を提供することを目的とする。
【課題を解決するための手段】
【０００５】
上述した課題を解決するため、本発明は、電力入力部と、前記電力入力部から得られる電力を出力する電力出力部と、他の装置と無線により通信を行う無線通信部と、当該無線通信部が受信した制御情報に応じて前記電力入力部から前記電力出力部への電力の供給状態を制御する電力供給制御部とを備えるコンセント機器が設置された空間を利用する利用者及び前記空間の利用形態の少なくともいずれか一方を示す利用情報を特定するための情報が入力される情報入力部から供給される信号に応じて、前記利用情報を特定する第１の特定部と、前記コンセント機器を識別する機器識別子と前記利用情報との対応関係を記憶する記憶部の記憶内容を参照して、前記第１の特定部によって特定された利用情報に対応する機器識別子を特定する第２の特定部と、前記第２の特定部によって特定された機器識別子の示すコンセント機器に対して、前記制御情報を無線通信によって送信する送信部とを具備することを特徴とする制御装置を提供する。
【０００６】
本発明の好適な態様において、前記電力入力部は、配線から電力を得るための差込口に差込可能なプラグであり、前記電力出力部は、前記差込口に差込可能なプラグが差込可能な差込口であってもよい。
【０００７】
本発明の更に好適な態様において、前記情報入力部から供給される信号に応じて、前記空間から退出した利用者の利用者識別子を前記記憶部に逐次記憶する退出者記憶制御部を具備し、前記記憶部は、前記利用者識別子の組み合わせパターンと１又は複数の前記機器識別子との対応関係を記憶し、前記第２の特定部は、前記退出者記憶制御部によって記憶された利用者識別子の組み合わせパターンに対応する機器識別子を、前記記憶部の記憶内容を参照して特定してもよい。
【０００８】
また、本発明の別の好適な態様において、前記情報入力部から供給される信号に応じて、前記空間から退出した利用者の退出順序を示す情報を前記記憶部に記憶する退出順序記憶制御部を具備し、前記記憶部は、前記利用者の退出順序と１又は複数の前記機器識別子との対応関係を記憶し、前記第２の特定部は、前記退出順序記憶制御部によって記憶された情報に対応する機器識別子を、前記記憶部の記憶内容を参照して特定してもよい。
【０００９】
また、本発明の更に好適な態様において、前記情報入力部は、通信ネットワークを介して他の装置から、前記利用情報を受信してもよい。
【００１０】
また、本発明は、制御装置と、１又は複数のコンセント機器とを備える電力供給制御システムであって、前記コンセント機器は、電力入力部と、前記電力入力部から得られる電力を出力する電力出力部と、他の装置と無線により通信を行う無線通信部と、前記無線通信部が受信した制御情報に応じて前記電力入力部から前記電力出力部への電力の供給状態を制御する電力供給制御部とを備え、前記制御装置は、情報入力部から供給される信号に応じて、前記コンセント機器が設置された空間を利用する利用者及び前記空間の利用形態の少なくともいずれか一方を示す利用情報を特定する第１の特定部と、前記コンセント機器を識別する機器識別子と前記利用情報との対応関係を記憶する記憶部の記憶内容を参照して、前記第１の特定部によって特定された利用情報に対応する機器識別子を特定する第２の特定部と、前記第２の特定部によって特定された機器識別子の示すコンセント機器に対して、前記制御情報を無線通信によって送信する送信部とを具備することを特徴とする電力供給制御システムを提供する。
【００１１】
また、本発明は、デッドボルトが移動することによって施錠がなされる錠に設けられ、当該デッドボルトの位置の変化を検出する検出部から出力される信号に応じて、施錠がなされたか否かを判定する判定部と、前記判定部によって施錠がなされたと判定された場合に、電力入力部と、前記電力入力部から得られる電力を出力する電力出力部と、他の装置と無線により通信を行う無線通信部と、当該無線通信部が受信した制御情報に応じて前記電力入力部から前記電力出力部への電力の供給状態を制御する電力供給制御部とを備える１又は複数のコンセント機器に対して、当該制御情報を無線通信によって送信する送信部とを具備することを特徴とする制御装置を提供する。
【発明の効果】
【００１２】
本発明によれば、利用者や利用者の利用形態に応じた電気機器のオン／オフの制御を、簡易な構成で行うことができる。
【図面の簡単な説明】
【００１３】
【図１】本発明の電力供給制御システムの構成の一例を示す図である。
【図２】玄関ドアの周辺の概観の一例を概略的に示す図である。
【図３】制御装置のハードウェア構成の一例を示すブロック図である。
【図４】情報入力部の概観の一例を示す図である。
【図５】対応テーブルの内容の一例を示す図である。
【図６】コンセント機器の概観の一例を示す図である。
【図７】コンセント機器のハードウェア構成の一例を示す図である。
【図８】制御装置の機能的構成の一例を示すブロック図である。
【図９】コンセント機器の設置態様の一例を示す図である。
【図１０】ドア枠の構造の一例を示す図である。
【図１１】玄関ドアの構造の一例を示す図である。
【図１２】ストライクボックスの縦断面図である。
【図１３】制御装置の機能的構成の一例を示すブロック図である。
【図１４】マグネットスイッチの構成の一例を示す図である。
【図１５】コンセント機器の概観の一例を示す図である。
【図１６】センサの構造の一例を示す図である。
【図１７】対応テーブルの内容の一例を示す図である。
【図１８】対応テーブルの内容の一例を示す図である。
【図１９】対応テーブルの内容の一例を示す図である。
【図２０】対応テーブルの内容の一例を示す図である。
【図２１】コンセント機器の概観の一例を示す図である。
【図２２】コンセント機器のハードウェア構成の一例を示す図である。
【発明を実施するための形態】
【００１４】
＜１．第１実施形態＞
＜１−１．構成＞
以下、図面を参照して本発明の一実施形態について説明する。図１は、本発明の一実施形態に係る電力供給制御システムの構成の一例を概略的に示す図である。図において、家屋１００は住宅等の建物であり、複数の部屋１０１ａ，１０１ｂ，…，１０１ｆが設けられている。この実施形態では、家屋１００の２階に、居室である部屋１０１ａ，１０１ｂと、洗面室である部屋１０１ｃとが設けられている。また、家屋１００の１階には、キッチンである部屋１０１ｄと、リビングである部屋１０１ｅと、玄関エリアである部屋１０１ｆとが設けられている。以下の説明では、部屋１０１ａ，１０１ｂ，…を各々区別する必要がない場合には、これらを「部屋１０１」と称して説明する。
【００１５】
家屋１００には、図示のように、コンセント機器２ａ，２ｂ，２ｃ，…が設けられている。具体的には、図１に示す例では、部屋１０１ａには、コンセント機器２ａ，２ｂ，２ｃ，２ｄが設けられており、部屋１０１ｂには、コンセント機器２ｅ，２ｆ，２ｇが設けられている。部屋１０１ｃにはコンセント機器２ｈが設けられており、部屋１０１ｄには、コンセント機器２ｉ，２ｊが設けられている。部屋１０１ｅには、コンセント機器２ｋ，２ｌ，２ｍが設けられている。以下の説明では、コンセント機器２ａ，２ｂ，２ｃ，…を各々区別する必要がない場合には、これらを「コンセント機器２」と称して説明する。コンセント機器２は、いわゆるコンセントタップの形状をしており、家屋１００に設けられたコンセントとそのコンセントに差込可能な電気機器のプラグとの間に介在されている。
【００１６】
また、家屋１００の１階には、家屋１００を利用する利用者が家屋１００から退出する又は利用者が家屋１００に進入するための玄関ドア１０２が設けられている。図２は、玄関ドア１０２の周辺の概観の一例を概略的に示す図である。図示のように、玄関ドア１０２には電気錠１０３ａ，１０３ｂが設けられており、電気錠１０３ａ，１０３ｂにより玄関ドア１０２の施錠／解錠が行われる。また、玄関ドア１０２の近傍には電気錠１０３ａ，１０３ｂの施錠を制御するための制御装置１が設けられている。この実施形態では、家屋１００の住居者は、電気錠１０３ａ，１０３ｂを施錠／解錠するためのＩＣタグ等のタグ３を予め有しており、タグ３を制御装置１に設けられたリーダで読み取らせることによって、電気錠１０３ａ，１０３ｂの施錠／解錠を行う。なお、以下の説明では、説明の便宜上、電気錠１０３ａ，１０３ｂを各々区別する必要がない場合には、これらを「電気錠１０３」と称して説明する。
【００１７】
図３は、制御装置１のハードウェア構成の一例を示すブロック図である。制御装置１は、家屋１００に設けられた電気機器への電力の供給を制御するための装置である。図において、制御部１１は、ＣＰＵ（Central Processing Unit）や、ＲＯＭ（Read Only Memory）、ＲＡＭ（Random Access Memory）を備え、ＲＯＭ又は記憶部１２に格納されているプログラムにしたがって制御装置１の制御を行う。記憶部１２は、例えばＥＥＰＲＯＭ（Electronically Erasable and Programmable ROM）であり、制御装置１の制御に関するプログラムなどの各種プログラムが格納されている。無線通信部１３は、他の装置と無線により通信を行う。情報入力部１４は、利用者を特定するための情報が入力されるものであり、利用者によって操作され、利用者の操作内容に応じた信号を出力する。情報入力部１４は、本発明に係る情報入力部の一例に相当する。なお、図３に示す例では、情報入力部１４が制御装置１に内蔵される構成について説明したが、これに限らず、情報入力部１４が制御装置１に外付けされる構成であってもよい。この場合は、制御装置１に外部入力端子を設け、この外部入力端子に情報入力部を接続する構成とすればよい。また、情報入力部１４は、制御装置１本体と無線通信によりデータの授受を行うようにしてもよく、また、有線通信によりデータの授受を行うようにしてもよい。
【００１８】
図４は、情報入力部１４の概観の一例を示す図である。図示のように、情報入力部１４は、液晶パネル１４ａと、リーダ１４ｂとを備えている。液晶パネル１４ａは、画面を表示するとともに、利用者によって接触された画面上の位置を検出する入力表示装置である。液晶パネル１４ａには，例えば、テンキーＫ１，Ｋ２，…や、各種操作を行うためのボタンＢ１，Ｂ２，Ｂ３が表示される。リーダ１４ｂは、ＩＤが埋め込まれたタグ（例えば、ＲＦタグやＩＣタグ、等）３やカードからＩＤを接触又は非接触により読み取るものであり、例えば、ＲＦＩＤ（Radio Frequency IDentification）リーダやバーコードリーダ等のリーダである。この実施形態では、システムの利用者は、この液晶パネル１４ａを用いて暗証番号を入力し、かつ、自身が所有するタグ３をリーダ１４ｂで読み取らせることによって、電気錠１０３ａ，１０３ｂを施錠又は解錠する。なお、この実施形態では、情報入力部１４として図４に例示するものを用いるが、情報入力部１４の形状はこれに限定されるものではなく、例えば、テンキーを備えたものであってもよく、また、他の形状であってもよい。
【００１９】
記憶部１２には、機器ＩＤテーブルＴＢＬ１と、利用者ＩＤテーブルＴＢＬ２と、対応テーブルＴＢＬ３とが記憶されている。機器ＩＤテーブルＴＢＬ１には、コンセント機器２を識別する識別子（以下「機器ＩＤ」という）と、そのコンセント機器２を表す文字列（例えば、「リビング照明」、「洗濯機」、「子供部屋のテレビ」、等）とが対応付けて記憶される。利用者ＩＤテーブルＴＢＬ２には、利用者を識別する識別子（以下「利用者ＩＤ」という）と、利用者の名称等の文字列（例えば、「お父さん」、「お母さん」、等）が対応付けて記憶される。利用者ＩＤは、本発明に係る利用情報の一例に相当する。対応テーブルＴＢＬ３には、利用者ＩＤと機器ＩＤとが対応付けて記憶される。図５は、対応テーブルＴＢＬ３の内容の一例を示す図である。図示のように、このテーブルには、「利用者ＩＤ」と「機器ＩＤ」との各項目が、互いに関連付けて記憶される。
【００２０】
次いで、コンセント機器２の構成について図面を参照しつつ説明する。図６は、コンセント機器２の概観の一例を示す図である。コンセント機器２は、いわゆるコンセントタップと同様の形状となっている。図において、プラグ部２５は、商用電源が供給される配線から電力を得るための差込口（いわゆるコンセント）に差込可能な形状となっており、差込口に差し込まれることによって電力が供給される。プラグ部２５は、いわゆるプラグと同様の形状となっている。差込口部２６ａ，２６ｂは、いわゆるコンセントと同様の形状をしており、プラグが差込可能となっている。差込口部２６ａ，２６ｂはそれぞれ、プラグ部２５から得られる電力を、自身に差し込まれたプラグに供給する。プラグ部２５は、本発明に係る電力入力部の一例に相当し、差込口部２６ａ，２６ｂは、本発明に係る電力出力部の一例に相当する。以下の説明では、説明の便宜上、差込口部２６ａ，２６ｂを各々区別する必要がない場合には、これらを「差込口部２６」と称して説明する。
【００２１】
図７は、コンセント機器２のハードウェア構成の一例を示す図である。コンセント機器２において、プラグ部２５ａと差込口部２６ａ，２６ｂとは電線２７によって接続されている。電源供給回路２８は、電線２７と接続することにより電源電圧を得ている。電源供給回路２８は、電線２７から取得した交流電圧を変圧するトランス２８ａと、トランス２８ａの出力をダイオードにより整流する整流部２８ｂとを備え、整流部２８ｂからの出力が電力供給制御部３０を構成する各部へ駆動電圧として供給される。
【００２２】
制御部２１は、ＣＰＵや、ＲＯＭ、ＲＡＭを備え、ＲＯＭ又は記憶部２２に格納されているプログラムにしたがってコンセント機器２の制御を行う。この実施形態では、特に、制御部２１は、無線通信部２３が受信した制御情報に応じて、差込口部２６ａ，２６ｂに差し込まれたプラグへの電力の供給状態を制御する。記憶部２２は、例えばＥＥＰＲＯＭであり、コンセント機器２の制御に関するプログラムなどの各種プログラムが格納されている。また、記憶部２２には、コンセント機器２を識別する識別情報（以下「機器ＩＤ」という）が記憶されている。無線通信部２３は、他の装置と無線により通信を行う。操作部２４は、利用者によって操作され、利用者の操作内容に応じた信号を出力する。この実施形態では、コンセント機器２は、図６に示すように、ボタンＢ２１を備えている。制御部２１は、ボタンＢ２１が利用者によって押下されたことを検知すると、記憶部２２に格納された機器ＩＤを無線通信により送信する。供給切替部２９は、制御部２１の制御の下、プラグ部２５から差込口部２６ａ，２６ｂへの電力の供給を遮断したり、供給を再開したりといった切替処理を行う。
【００２３】
次いで、制御装置１の機能的構成の一例について、図面を参照しつつ説明する。図８は、制御装置１の機能的構成の一例を示すブロック図である。図８において、第１の特定部１１１、第２の特定部１１２及び送信部１１３は、制御部１１がＲＯＭ又は記憶部１２に記憶されているプログラムを読み出して実行することによって実現される。図において、第１の特定部１１１は、情報入力部１４から供給される信号に応じて、複数のコンセント機器２が設置された家屋１００から退出する利用者を特定する。この実施形態では、第１の特定部１１１は、リーダ１４ｂから出力される信号に応じて、家屋１００から退出する利用者を特定する。
【００２４】
第２の特定部１１２は、第１の特定部１１１によって特定された利用者の利用者ＩＤに対応する機器ＩＤを、対応テーブルＴＢＬ３の記憶内容を参照して特定する。送信部１１３は、第２の特定部１１２によって特定された機器ＩＤの示すコンセント機器２に対して、電力の供給の遮断を指示する制御情報Ｓ１を無線により送信する。
【００２５】
＜１−２．動作＞
＜１−２−１．初期設定動作＞
次いで、本実施形態の動作について説明する。本システムを利用するに先立って、利用者は、制御装置１に対して設定の登録を行う。まず、利用者は、情報入力部１４を用いて、初期設定を開始するための操作を行う。情報入力部１４は、利用者の操作内容に応じた信号を出力し、制御部１１は、情報入力部１４から出力される信号に応じて、初期設定を行うための画面を表示する。具体的には、例えば、制御部１１は、「コンセント機器を登録してください」といったメッセージを液晶パネル１４ａに表示する。この画面が表示されている状態において、利用者は、コンセント機器２のボタンＢ２１を押下する。コンセント機器２の制御部２１は、ボタンＢ２１が押下されたことを検知すると、記憶部２２に記憶されている機器ＩＤを読み出し、無線通信部２３によって機器ＩＤを送信する。制御装置１の制御部１１は、コンセント機器２から機器ＩＤを受信すると、「機器ＩＤを受信しました。」といったメッセージを表示するとともに、「機器の名称を登録してください」といったメッセージを液晶パネル１４ａに表示する。利用者は、液晶パネル１４ａに表示された画面を参照しつつ、情報入力部１４を用いて、例えば、「子供部屋」や「寝室の照明」、「２階トイレ」といったように、識別可能な名称を入力する。制御部１１は、情報入力部１４から出力される信号に応じて、機器ＩＤテーブルＴＢＬ１に、機器ＩＤと入力された文字列とを対応付けて記憶する。コンセント機器２のそれぞれについて、上述した登録処理が行われることによって、制御装置１には、複数のコンセント機器２の機器ＩＤと文字列とが対応付けて機器ＩＤテーブルＴＢＬ１に記憶される。
【００２６】
次いで、利用者は、対応テーブルを登録するための操作を行う。制御部１１は、情報入力部１４から出力される信号に応じて、「利用者を登録してください」といったメッセージを液晶パネルに表示する。利用者は、表示された画面を参照して、リーダ１４ｂに自身の所有するタグ３を読み取らせるとともに、情報入力部１４を用いて「お父さん」、「お母さん」といった文字列を入力する。制御部１１は、情報入力部１４から出力される信号に応じて、利用者ＩＤと入力された文字列とを対応付けて利用者ＩＤテーブルＴＢＬ２に記憶する。また、制御部１１は、「退出時にオフするコンセント機器を選択してください」といったメッセージとともに、機器ＩＤテーブルＴＢＬ１に記憶された機器ＩＤのリストを液晶パネルに表示させる。利用者は、液晶パネルに表示される画面を参照しつつ、自身が外出するときにオフしたいコンセント機器２の機器ＩＤを選択する。制御部１１は、利用者によって選択された機器ＩＤを、入力された利用者ＩＤと対応付けて対応テーブルＴＢＬ３に記憶する。利用者のそれぞれについてこの登録処理が行われることによって、制御装置１には、複数の利用者の利用者ＩＤと文字列とが対応付けて利用者ＩＤテーブルＴＢＬ２に記憶されるとともに、利用者ＩＤと機器ＩＤとが対応付けて対応テーブルＴＢＬ３に記憶される。
【００２７】
対応テーブルＴＢＬ３の登録を終えると、利用者は、家屋１００内に設けられたコンセント（差込口）にコンセント機器２を差し込んで設置する。図９は、コンセント機器２の設置態様の一例を示す図である。図９に示す例では、コンセント機器２は、家屋１００に設けられたコンセント１０５に差し込まれるとともに、差込口部２６ａ，２６ｂにそれぞれ電気機器のプラグ１０６ａ，１０６ｂが差し込まれる。図１に示す例においては、コンセント機器２ａの差込口部２６には、照明機器のプラグが差し込まれ、照明機器のプラグが差し込まれるべきコンセントにコンセント機器２ａのプラグ部２５が差し込まれている。また、コンセント機器２ｂの差込口部２６には、空調機器のプラグが差し込まれ、空調機器のプラグが差し込まれるべきコンセントにコンセント機器２ｂのプラグ部２５が差し込まれる。
【００２８】
＜１−２−２．電力遮断動作＞
次いで、利用者が家屋１００から退出する場合の動作について説明する。利用者は、家屋１００を退出する際に、自身の所有するタグ３をリーダ１４ｂに読み取らせる。制御部１１は、リーダ１４ｂから出力される信号に応じて、電気錠１０３ａ，１０３ｂを施錠するとともに、リーダ１４ｂによって読み取られた利用者ＩＤに対応する機器ＩＤを、対応テーブルＴＢＬ３の記憶内容を参照して特定し、特定した機器ＩＤの示すコンセント機器２に対して、電力の遮断を指示する制御情報Ｓ１を、無線により送信する。具体的には、例えば、対応テーブルＴＢＬ３の記憶内容が図５に示すものであって、リーダ１４ｂによって読み取られた利用者ＩＤが「０１」である場合は、制御部１１は、コンセント機器２ａ，２ｂ，２ｃの３つのコンセント機器２に対して制御情報Ｓ１を送信する。
【００２９】
コンセント機器２の制御部２１は、制御装置１から制御情報Ｓ１を受信すると、プラグ部２５から差込口部２６への電力の供給を遮断する。具体的には、図１に示す例において、コンセント機器２ａが制御情報Ｓ１を受信した場合には、コンセント機器２ａが差し込まれたコンセントから照明機器１１０ａへの電力の供給が遮断される。また、コンセント機器２ｂが制御情報Ｓ１を受信した場合には、コンセント機器２ｂが差し込まれたコンセントから空調機器１１０ｂへの電力の供給が遮断される。
【００３０】
このように、本実施形態では、利用者がタグ３を用いて電気錠１０３ａ，１０３ｂの施錠を行うと、その利用者に対応付けられたコンセント機器２において電力の供給が遮断される。すなわち、利用者が家屋１００を退出する場合には、その利用者が予め設定したコンセント機器２における電力の供給が遮断される。具体的には、例えば、利用者が退出すると、照明や空調機器、テレビ、ゲーム機等の電気機器への電力の供給が遮断される。これにより、利用者が外出している場合に発生し得る待機電力が削減される。特に、この実施形態では、利用者を識別する利用者ＩＤとコンセント機器を識別する機器ＩＤとを予め対応付けておき、外出する利用者に対応するコンセント機器２の電力の供給を遮断することにより、例えば、外出していない利用者が利用し得る電気機器については電力の供給を遮断しない、といったように、利用者毎に適した環境を構築することができる。
【００３１】
＜１−２−３．電力復帰動作＞
次いで、利用者が帰宅した場合の動作について説明する。利用者は、帰宅した際に、自身の所有するタグ３をリーダ１４ｂに読み取らせる。制御部１１は、リーダ１４ｂから出力される信号に応じて、電気錠１０３ａ、１０３ｂを解錠するとともに、リーダ１４ｂによって読み取られた利用者ＩＤに対応する機器ＩＤを、対応テーブルＴＢＬ３の記憶内容を参照して特定し、特定した機器ＩＤに示すコンセント機器２に対して、電力の供給の再開を指示する制御情報Ｓ２を、無線により送信する。
【００３２】
コンセント機器２の制御部２１は、制御装置１から制御情報Ｓ２を受信すると、プラグ部２５から差込口部２６への電力の供給を再開する。このように、本実施形態では、利用者がタグ３を用いて電気錠１０３ａ，１０３ｂの解錠を行うと、その利用者に対応付けられたコンセント機器２において電力の供給が再開される。具体的には、例えば、利用者が帰宅すると、照明や空調機器、テレビ、ゲーム機等の電気機器への電力の供給が再開される。
【００３３】
以上説明したように本実施形態によれば、利用者がタグ３を用いて電気錠１０３ａ，１０３ｂの施錠／解錠を行うと、その利用者に対応付けられたコンセント機器２において電力の供給の遮断／再開が行われる。これにより、外出する利用者に対応するコンセント機器２において、利用者が外出している間に発生し得る待機電力を削減することができる。また、この実施形態では、既存のコンセントと電気機器のプラグとの間にコンセント機器２を介在させるだけでよいため、配線工事等が必要なく、容易にシステムを導入することができる。
【００３４】
＜２．第２実施形態＞
次に、本発明の第２の実施形態について説明する。本発明の電力供給システムが、上述した第１の実施形態に係る電力供給システムと異なる点は、電気錠に係るストライクボックス（以下「ストライクボックス１０３１」という）がマイクロスイッチ８０を有している点と、制御装置１の制御部（以下「制御部１１Ｂ」という）が行う処理の内容が異なる点であり、他の構成については上述の第１実施形態で示したそれと同様である。そのため、以下の説明においては、第１実施形態と同様の構成要素については、同じ符号を付して適宜その説明を省略する。
【００３５】
まず、ストライクボックス１０３１の構成について図面を参照しつつ説明する。図１０は、ドア枠１０４の構造の一例を示す図である。図において、ストライクボックス１０３１は、ドア枠１０４の玄関ドア１０２と対向する位置に設けられている。ストライク板１０３２はストライクボックス１０３１と一体となって構成されており、ストライク板１０３２はドア枠１０４に止めねじ１０３３によって固定されている。マイクロスイッチ８０は、ストライク板１０３２の玄関ドア１０２との対向面上部からストライクボックス１０３１の内部に向けて設けられている。
【００３６】
図１１は、玄関ドア１０２の構造を示したものである。玄関ドア１０２は、一般の建物で汎用されているサムターン付きシリンダ錠である。すなわち、レバーハンドル９１の操作によりラッチボルト９２を出没させてストライクボックス１０３１のストライク板１０３２と係合あるいは係合解除する。
【００３７】
図１２は、閉扉解錠状態つまり玄関ドア１０２が閉まり施錠されていないときのストライクボックス１０３１の縦断面図である。図中左側がドア枠１０４で、右側が玄関ドア１０２である。このとき、玄関ドア１０２のラッチボルト９２がドア枠１０４のストライク板１０３２に係合して閉扉状態となっている。デッドボルト９３は、玄関ドア１０２内にあり、ストライクボックス１０３１内に突出してはいないため、マイクロスイッチ８０はオフの状態にある。また、施錠されてデッドボルト９３が想像線で示すように図中左方に突出すると、マイクロスイッチ８０が押圧されてオンの状態となる。すなわち、マイクロスイッチ８０は、玄関ドア１０２が施錠されたときデッドボルト９３により押圧されてオン状態となり、玄関ドア１０２が解錠されたときデッドボルト９３が後退してオフ状態となる。マイクロスイッチ８０は、制御装置１に接続されている。制御装置１の制御部１１Ｂは、マイクロスイッチ８０のオン／オフに応じて、玄関ドア１０２の施錠／解錠を検出する。
【００３８】
図１３は、本実施形態に係る制御装置１の機能的構成の一例を示すブロック図である。図において、判定部１１４及び送信部１１５は、制御部１１ＢがＲＯＭ又は記憶部１２に記憶されているプログラムを読み出して実行することによって実現される。図において、判定部１１４は、マイクロスイッチ８０から出力される信号に応じて、施錠がなされたか否か（又は、解錠がなされたか否か）を判定する。送信部１１５は、判定部１１４によって施錠がなされたと判定された場合に、コンセント機器２に対して、制御情報Ｓ１を送信する。
【００３９】
コンセント機器２は、制御装置１から制御情報Ｓ１を受信すると、プラグ部２５から差込口部２６への電力の供給を遮断する。コンセント機器２が制御情報Ｓ１を受信した場合に行う処理は、上述した第１の実施形態と同様であり、ここではその詳細な説明を省略する。
【００４０】
この実施形態では、デッドボルトの位置の変化を検出するマイクロスイッチ８０によって施錠がなされたことが検知され、施錠がなされたときに、コンセント機器２において電力の供給が遮断される。このようにすることにより、利用者が外出している間に発生し得る待機電力が削減される。
【００４１】
＜３．変形例＞
以上、本発明の実施形態について説明したが、本発明は上述した実施形態に限定されることなく、他の様々な形態で実施可能である。以下にその例を示す。なお、以下の各態様を適宜に組み合わせてもよい。
（１）上述の第１の実施形態では、利用者がタグ３をリーダ１４ｂに読み取らせることによって利用者ＩＤを入力したが、利用者ＩＤの入力の態様はこれに限定されるものではなく、例えば、利用者が操作パネルを操作することによって利用者ＩＤを入力するようにしてもよい。また、例えば、制御装置１にバーコードリーダを設ける構成とし、利用者の各々に割り当てられたバーコードを読み取ることによって利用者ＩＤが入力される構成としてもよい。また、例えば、利用者がタグ３をリーダ１４ｂに読み取らせるとともに、操作パネルを操作して利用者ＩＤを入力する、といったように、複数の入力態様が組み合わされて用いられてもよい。また、例えば、制御装置１が指紋認証機能等の生体（バイオ）認証機能を備える構成とし、制御装置１の記憶部１２に記憶された生体データ（指紋データ等）と利用者ＩＤとの対応関係を参照することによって、利用者を認証して利用者ＩＤを特定する構成としてもよい。別の例で、リーダ１４ｂは、利用者のタグを遠隔から読み取ってもよい。この場合、タグは、電磁波等により、利用者ＩＤを示す信号を出力している。タグをリーダ１４ｂにかざす等の行為が行われなくても、リーダ１４ｂは、タグから利用者ＩＤを読み取ることができる。より具体的には、扉にリーダ１４ｂを設け、タグを保持した利用者がその扉をくぐることにより、利用者ＩＤが特定されてもよい。要は、制御装置１の制御部１１が、操作パネルやＲＦＩＤリーダ等の情報入力部から供給される信号に応じて、１又は複数の利用者を特定するものであればどのようなものであってもよい。
【００４２】
また、例えば、情報入力部１４を室内に設ける構成とし、情報入力部１４がタグ３を読み取ることによって、その室内に居る利用者を認識するようにしてもよい。この場合は、例えば、複数の利用者のそれぞれについて、利用者ＩＤとその利用者が使用する電気機器（例えば、各利用者のデスクに設置されたパーソナルコンピュータや、デスクの周辺に設置された加湿器、扇風機、等）が接続されたコンセント機器２の機器ＩＤとを対応付けて対応テーブルＴＢＬ３に記憶しておく構成とし、制御部１１が、情報入力部１４によって読み取られた利用者ＩＤに対応するコンセント機器２２に対して制御信号Ｓ１（又は制御信号Ｓ２）を送信することによって電力の供給制御を行うようにしてもよい。
【００４３】
このように、制御部１１は、情報入力部１４から出力される信号に応じて、家屋や部屋等の空間から退出する利用者を特定するようにしてもよく、また、その空間に入る利用者を特定するようにしてもよく、また、例えば予め定められたタイミング毎にモニタリングを行うことによってその空間に居る利用者を特定するようにしてもよい。要は、制御部１１は、情報入力部１４から出力される信号に応じて利用者を特定するものであればどのようなものであってもよい。
【００４４】
また、他の例として、例えば、情報入力部１４として照度を検知する照度センサや温度を検知する温度センサ、湿度を検知する湿度センサ、等の各種センサを用いる構成とし、制御部１１が、各センサの検知結果に応じてコンセント機器２に対する制御を行うようにしてもよい。この場合は、例えば、各センサの検出結果と機器ＩＤとを対応付けて対応テーブルＴＢＬ３に記憶しておく構成とし、制御部１１が、各センサの検出結果に対応するコンセント機器２に対して制御信号Ｓ１，Ｓ２を送信するようにすればよい。この場合は、具体的には、例えば、制御部１１は、照度が予め定められた閾値以上である場合には照明機器への電力供給をオフにする一方、照度が予め定められた閾値未満の場合には照明機器への電力供給をオンにする、といった制御を行ったり、また、例えば、温度が予め定められた閾値以上であるか否かによって空調機器への電力の供給のオン／オフを行ったり、また、例えば、湿度が予め定められた閾値以上であるか否かによって加湿器への電力の供給のオン／オフを行ったり、といったように、センサの検出結果に応じた電力供給制御を行うことができる。
【００４５】
（２）上述の第１の実施形態では、電気錠１０３ａ，１０３ｂを開閉するためのタグとコンセント機器２の制御のために用いるタグとを併用したが、これに限らず、コンセント機器２の制御のために用いるタグを、電気錠を開閉するためのタグとは別途設けるようにしてもよい。
【００４６】
また、上述の第１及び第２の実施形態では、電気制御により施錠／解錠が行われる電気錠１０３を用いたが、本発明に係る錠は電気錠に限らず、電機制御が行われない錠であってもよい。
【００４７】
また、上述の第１の実施形態では、制御部１１は、情報入力部１４から出力される利用者ＩＤに対応するコンセント機器２を、対応テーブルＴＢＬ３を参照して特定し、特定したコンセント機器２に対して制御信号Ｓ１，Ｓ２を送信するようにしたが、対応テーブルＴＢＬ３を参照する構成とせず、情報入力部１４からの信号に応じて、任意のコンセント機器２（例えば、室内に設けられた全てのコンセント機器２）に対して制御信号Ｓ１又は制御信号Ｓ２を送信する（すなわちコンセント機器２の電力供給制御を行う）ようにしてもよい。具体的には、例えば、情報入力部１４としてオン／オフの切り替えを行うスイッチ（ボタン）を用いる構成とし、制御部１１はスイッチから出力される信号に応じて、このスイッチがオンされた場合には室内の全てのコンセント機器２に対して制御信号Ｓ２を送信する一方、スイッチがオフされた場合にはコンセント機器２に対して制御信号Ｓ１を送信する、といった制御を行うようにしてもよい。
【００４８】
より具体的には、例えば、図１４に例示するような、扉の開閉に応じた信号を出力するマグネットスイッチ１４ｃを設ける構成とし、このマグネットスイッチからの信号に応じて、コンセント機器２への電力の供給制御を行うようにしてもよい。
【００４９】
（３）また、上述の第１の実施形態において、電力供給制御動作をスケジュール情報と連携させるようにしてもよい。具体的には、例えば、記憶部１２に、利用者や各部屋の使用状況等についてのスケジュールを表すスケジュール情報を記憶しておく構成とし、例えば、１０：００〜１４：００の間は居間の照明をつける、といったようにスケジュール情報に従ってコンセント機器２への電力の供給制御を行うようにしてもよい。この場合は、例えば、時間帯を表す情報と機器ＩＤと供給のオン／オフの種別を表す情報とを対応付けて対応テーブルＴＢＬ３に記憶しておく構成とし、制御部１１が、対応テーブルＴＢＬ３の記憶内容を参照して、各時間帯に対応するコンセント機器２に対して制御信号Ｓ１，Ｓ２を送信する。記憶部１２に記憶されるスケジュール情報は、利用者が情報入力部１４を用いて入力するようにしてもよく、また、通信部１５や無線通信部１３を介して他の装置から受信するようにしてもよい。
【００５０】
（４）上述の第１及び第２の実施形態では、コンセント機器２として、図６に示す形状のものを用いたが、コンセント機器２の形状は図６に示す形状に限定されるものではなく、例えば、図１５の（ａ）乃至（ｃ）に示す形状であってもよい。図１５の（ａ）においては、コンセント機器２Ａは、いわゆる延長コードであり、コンセントに差込可能なプラグ部２５と、複数のプラグが差込可能な差込口部２６，２６，…が設けられた筐体３１とが、コード３２によりつながれている。また、図１５の（ｂ）に示す例では、コンセント機器２Ｂは、コンセントに差込可能なプラグ部２５と、複数のプラグが差込可能な差込口部２６，２６を備えている。図１５（ｃ）に示す例も同様であり、コンセント機器２Ｃは、コンセントに差込可能なプラグ部２５と、複数のプラグが差込可能な差込口部２６，２６を備えている。
【００５１】
また、コンセント機器２が有する差込口部の数は、１であってもよく、また、複数であってもよい。同様に、コンセント機器２が有するプラグ部の数は、１であってもよく、また、複数であってもよい。
【００５２】
（５）上述の第２の実施形態では、マイクロスイッチ８０によってデッドボルトの位置の変化を検出したが、デッドボルトの位置の変化を検出する態様はこれに限らず、例えば、図１６の（ａ），（ｂ）に示すような、デッドボルトの位置を通電により検出するセンサを用いてもよい。図１６の（ａ）においては、金属製のデッドボルトが接点８２ａ，８２ｂに接触することにより、デットボルトを介して接点８２ａと接点８２ｂが電気的に接続される。なお、デットボルトがそれ自体の導電性により接続してもよいし、デッドボルトが当接したとき接点８２ａ，８２ｂを他の導体に押し付けて接続するようにしてもよい。制御部１１Ｂは、接点８２ａ，８２ｂ間の接続の有無に応じて、玄関ドア１０２の施錠／開錠を検出する。また、図１６の（ｂ）に示す例においては、ストライクボックス１０３１の上下各方向からそれぞれ延び出した一対の柔軟性を有する板材８２−３により構成されており、デッドボルト９３に対抗する位置に両者の先端部分が配されている。また、センサ８０の構成はこれらに限定されるものではなく、デッドボルトが移動することによって施錠がなされる施錠具に設けられ、デッドボルトの位置の変化を検出するものであればどのようなものであってもよい。
【００５３】
（６）上述の第１の実施形態では、対応テーブルＴＢＬ３に、機器ＩＤと利用者ＩＤとを対応付けて記憶したが、対応テーブルＴＢＬ３の記憶内容は上述したものに限定されるものではなく、例えば、図１７に示すものであってもよい。図１７に示す例では、「パターンＩＤ」と「機器ＩＤ」との各項目が、互いに関連付けて記憶される。これらの項目のうち、「パターンＩＤ」の項目には、「買い物」や「旅行」といった、外出のパターンを識別する識別情報が格納される。この識別情報は、本発明に係る利用情報の一例に相当する。
【００５４】
図１７に示す例においては、利用者は、外出する際（すなわち電気錠１０３を施錠する際）に、情報入力部１４を用いて外出パターンを選択する。制御部１１は、情報入力部１４から出力される信号に応じて、対応テーブルＴＢＬ３に記憶された外出パターンのいずれかを選択し、選択した外出パターンに対応する機器ＩＤを特定し、特定した機器ＩＤの示すコンセント機器２に対して、制御情報Ｓ１を送信する。このようにすることによって、例えば、短時間の買い物に出かける場合は必要最低限の電源のみオフし、空調やゲーム、パソコンなどはそのままにする一方、終日外出する場合はタイマ機能（冷蔵庫、炊飯器、洗濯機、等）があるもの以外の電気機器の電源を全てオフし、また、旅行等の場合には、冷蔵庫、ＤＶＤレコーダ以外の全ての電気機器の電源をオフする、といったように、外出パターンに適した電力供給制御を行うことができる。
【００５５】
また、外出パターンに限らず、例えば、「息子の部屋」や「エアコン全部」といったように、利用形態に応じてグループ分けされた各グループを表すグループＩＤ（利用情報）と機器ＩＤとを対応付けて対応テーブルＴＢＬ３に記憶するようにしてもよい。この場合も、図１７に示した例と同様に、利用者が、外出する際に、情報入力部１４を用いてグループを選択し、制御部１１は、情報入力部１４から出力される信号に応じて、対応テーブルＴＢＬ３に記憶されたグループのいずれかを選択し、選択したグループに対応する機器ＩＤを特定し、特定した機器ＩＤの示すコンセント機器２に対して、制御情報Ｓ１を送信する。このようにすることによって、例えば、息子の部屋に設置された電気機器の電源を全てオフしたり、エアコンを全てオフしたり、といったように、利用形態に応じた電力供給制御を行うことができる。
【００５６】
（７）また、対応テーブルＴＢＬ３は、例えば、図１８に例示するものであってもよい。図１８に示す例では、対応テーブルＴＢＬ３には、利用者ＩＤの組み合わせパターンと１又は複数の機器ＩＤとが対応付けて記憶されている。この動作例においては、制御部１１は、情報入力部１４から供給される信号に応じて、家屋１００から退出する利用者の利用者ＩＤを記憶部１２に逐次記憶し、記憶された利用者ＩＤの組み合わせパターン（すなわち退出した利用者の組み合わせパターン）に対応する機器ＩＤを対応テーブルＴＢＬ３を参照して特定し、特定した機器ＩＤの示すコンセント機器２に対して、制御情報を送信する。このようにすることにより、例えば、両親が外出して子供だけで留守番をする場合に、テレビやゲーム機、ガスコンロの電源をオフする、といったように、外出した利用者の組み合わせに応じた制御を行うことができる。
【００５７】
（８）また、上述の第１の実施形態において、情報入力部１４から供給される信号に応じて、家屋１００から退出した利用者の退出順序を示す順序情報を記憶部１２に記憶する構成とし、対応テーブルＴＢＬ３に、利用者の退出順序と１又は複数の機器ＩＤとを対応付けて記憶し、制御部１１が、記憶部１２に記憶された順序情報に対応する機器ＩＤを特定し、特定した機器ＩＤの示すコンセント機器２に対して、制御情報Ｓ２を送信するようにしてもよい。図１９は、この場合の対応テーブルＴＢＬ３の内容の一例を示す図である。図示のように、このテーブルには、「退出順序」と「機器ＩＤ」との各項目が互いに関連付けて記憶される。これらの項目のうち、「退出順序」の項目には、利用者の退出順序を示す情報が記憶される。制御部１１は、このテーブルを参照して、利用者の退出順序に対応する機器ＩＤを特定する。
【００５８】
また、対応テーブルＴＢＬ３の内容は上述したものに限定されるものではなく、他の態様であってもよい。要は、対応テーブルＴＢＬ３は、コンセント機器２が設置された空間を利用する利用者又はその空間の利用形態の少なくともいずれか一方を示す利用情報と機器ＩＤとの対応関係を示すものであればどのようなものであってもよい。
【００５９】
（９）上述の第１の実施形態と第２の実施形態とを併用してもよい。すなわち、制御部１１（又は制御部１１Ｂ）が、情報入力部１４から出力される信号及びセンサ８０から出力される信号の少なくともいずれか一方に応じて、制御情報Ｓ１を送信するコンセント機器２を選定するようにしてもよい。より具体的には、例えば、制御部１１（又は制御部１１Ｂ）が、情報入力部１４によって利用者ＩＤが入力され、かつ、マイクロスイッチ８０から施錠された旨の信号が出力された場合に、入力された利用者ＩＤに対応するコンセント機器２に対して制御情報（制御情報Ｓ１又は制御情報Ｓ２）を送信するようにしてもよい。また、他の例としては、例えば、制御部１１（又は制御部１１Ｂ）が、情報入力部１４に設けられた所定のボタンが２秒以上長押しされ、かつ、マイクロスイッチ８０から施錠された旨の信号を出力された場合に、その空間に設置されたコンセント機器２に対して制御信号（制御信号Ｓ１又は制御信号Ｓ２）を送信するようにしてもよい。
【００６０】
（１０）上述の第１の実施形態において、通信ネットワークを介した遠隔操作により、コンセント機器２の電力供給制御を行うようにしてもよい。この場合は、制御装置１が、通信ネットワーク４（図３に点線で図示）を介して他の装置とデータの授受を行う通信部１５（図３に点線で図示）を備える構成とし、制御部１１が、通信部を介して他の装置から、家屋１００から退出する利用者を示す情報を受信し、受信された情報及び情報入力部１４から供給される信号の少なくともいずれか一方に応じて、家屋１００から退出する利用者を特定するようにしてもよい。
【００６１】
（１１）上述の第１及び第２の実施形態において、電気錠１０３がロックされた場合に、複数のボタンを操作パネルに表示する構成とし、このボタンへの割り当てのパターンを退出した利用者に応じて変えるようにしてもよい。この場合は、利用者とボタンへの割り当てパターンとを対応付けて予め記憶しておき（図２０参照）、制御部１１が、入力された利用者ＩＤ（すなわち退出する利用者の利用者ＩＤ）に対応する割り当てパターンでボタンへの割り当てを行うようにしてもよい。この場合は、利用者によってボタンのいずれかが選択されると、制御部１１は、情報入力部１４から出力される信号に応じて１又は複数のコンセント機器２を選択し、選択したコンセント機器２に対して制御情報Ｓ１を送信する。具体的には、例えば、制御部１１が「Ａ」、「Ｂ」、「Ｃ」の３つのボタンを液晶パネル１４ａに表示する構成とし、「お父さん」が退出した場合には、「Ａ」のボタンに「父の寝室」、「Ｂ」のボタンに「書斎」、「Ｃ」のボタンに「居間」を割り当てる一方、「お母さん」が退出した場合には、「Ａ」のボタンに「母の寝室」、「Ｂ」のボタンに「キッチン」、「Ｃ」のボタンに「居間」を割り当てるようにしてもよい。
【００６２】
（１２）上述の第１及び第２の実施形態では、家屋１００に複数のコンセント機器２を設置する構成としたが、家屋１００に設置するコンセント機器２の数は複数であってもよく、また、ひとつであってもよい。また、上述の第１の実施形態では、第１の特定部１１１は、情報入力部１４から供給される信号に応じて家屋１００から退出する利用者を特定したが、第１の特定部１１１が特定する利用者は上述したものに限らず、例えば、情報入力部１４から出力される信号に応じて、宿泊施設等に設けられた部屋から退出する利用者を特定するようにしてもよい。要は、第１の特定部１１１は、情報入力部１４から供給される信号に応じて家屋等の空間から退出する利用者を特定するものであればよい。
【００６３】
（１３）上述の実施形態では、制御装置１が記憶部１２に対応テーブルＴＢＬ３を記憶する構成としたが、対応テーブルＴＢＬ３は外部接続される記憶装置に記憶されていてもよい。
【００６４】
（１４）上述の第１及び第２の実施形態において、各部屋１０１に熱検知センサなどの人や動物を検知するセンサを設ける構成とし、このセンサの検出結果に応じて電力供給の制御を行うようにしてもよい。より具体的には、例えば、第１の実施形態において、熱検知センサの検出結果と機器ＩＤとを対応付けて記憶しておく構成とし、熱検知センサの検出結果に応じて制御情報Ｓ１を送信するコンセント機器２を選定するようにしてもよい。例えば、家族全員が外出した場合であっても、熱検知センサによって熱検知された場合（例えば、猫等のペットが家屋１００内に居る場合）に、空調機器をオンしたままにする、といった制御を行うようにしてもよい。
【００６５】
また、例えば、制御部１１が、第２の実施形態において、センサ８０からの信号に応じて施錠がなされたと判定されたときに、熱検知センサによって熱検知されなかった場合にはコンセント機器２に制御情報Ｓ１を送信する一方、熱検知センサによって熱検知された場合（例えば、利用者が帰宅して施錠した場合、等）にはコンセント機器２に制御情報Ｓ２を送信するようにしてもよい。
【００６６】
また、他の例として、例えば、第２の実施形態において、利用者の位置とコンセント機器２の機器ＩＤとを対応付けたテーブルを記憶部１２に記憶しておく構成とし、制御部１１が、センサ８０からの信号に応じて施錠がなされたと判定されたときに、熱検知センサの検出結果に応じて外出していない利用者の位置を特定し、特定した位置に対応するコンセント機器２（例えば、特定した位置が含まれる部屋に設けられたコンセント機器２）を記憶部１２に記憶されたテーブルを参照して特定し、特定したコンセント機器２に対して制御情報Ｓ１を送信するようにしてもよい。
【００６７】
（１５）上述の実施形態では、家屋１００に設けられたコンセントと電気機器のプラグとの間にコンセント機器２を介在させて用いる構成としたが、これに限らず、上述の実施形態に係るコンセント機器２の機能が電気機器に組み込まれていてもよい。具体的には、例えば、コンセントに差込可能なプラグ部（電力入力部）と、このプラグ部から得られる電力を電気機器に供給するコード部（電力出力部）と、他の装置と無線により通信を行う無線通信部と、この無線通信部が受信した制御情報に応じて電気機器への電力の供給状態を制御する電力供給制御部とを備えるコンセント機器を用いてもよい。また、コンセント機器は、プラグ部と差込口部と有する構成ではなく、例えば、図２１に示すような、電源ケーブルの導線がむき出しになった形状であってもよい。図２１に示す例では、コンセント機器２Ｄは、コンセント機器２のプラグ部２５に代えて、接続される導線から電力を得る第１の導線部２５Ｄ（電力入力部）を有しているとともに、コンセント機器２の差込口部２６に代えて、第１の導線部２５Ｄから得られる電力を他の導線に供給する第２の導線部２６Ｄ（電力出力部）を備えている。なお、コンセント機器２Ｄの他の構成は上述したコンセント機器２の構成と同様であり、ここではその詳細な説明を省略する。このコンセント機器２Ｄは、電気機器のコード等の導線に直接繋いで用いられる。コンセント機器２Ｄの制御部２１は、管理装置１から受信される制御信号に応じて、第１の導線部２５Ｄ（電力入力部）から第２の導線部２６Ｄ（電力出力部）への電力の供給のオン／オフを切り換える。コンセント機器２Ｄは、本発明のコンセント機器の一例に相当する。
【００６８】
（１６）上述の実施形態において、複数の差込口部を供えるコンセント機器２について、複数の差込口部についてそれぞれ個別に電力の供給制御を行うようにしてもよい。図２２は、この態様に係るコンセント機器２Ｅのハードウェア構成の一例を示す図であり、上述した実施形態で示した図７に対応する図である。図２２に示すコンセント機器２Ｅが、上述した実施形態に係るコンセント機器２と異なる点は、３つの差込口部２６ａ，２６ｂ，２６ｃを有している点と、供給切替部２９に代えて供給切替部２９Ｅを有している点であり、他の構成は上述した実施形態で示したそれと同様である。供給切替部２９Ｅは、制御部２１の制御の下、プラグ部２５から差込口部２６ａ，２６ｂ，２６ｃへの電力の供給をそれぞれ個別に遮断したり、供給を再開したり、といった切替処理を行う。この態様においては、差込口部２６ａ，２６ｂ，２６ｃのそれぞれに対応する識別情報（機器ＩＤ）を記憶部２２に記憶しておく構成とし、初期設定を行う場合に、例えば、ボタンＢ２１の押下の態様（例えば、１秒長押し、２秒長押し、等）によって、無線送信する識別情報を異ならせるようにしてもよい。また、例えば、コンセント機器２Ｅに複数のボタンを設ける構成とし、押下されたボタンに対応する識別情報を無線通信によって送信するようにしてもよい。
【００６９】
（１７）上述の実施形態では、コンセント機器２のボタンＢ２１が押下されることによって識別情報（機器ＩＤ）が無線送信され、制御装置１の制御部２１が、コンセント機器２から識別情報を受信することによって初期設定を行うようにしたが、初期設定の態様はこれに限定されるものではなく、例えば、コンセント機器２に割り当てられている固有の製造ＩＤを、製品の製造時に生産工場において管理装置１のテーブルに書き込んでおくようにしてもよい。この場合は、コンセント機器２と管理装置１とをセットで販売することで、利用者による初期設定作業が軽減される。
【００７０】
（１８）上述の実施形態において、例えば、制御信号Ｓ１を受信してから３０秒後に電力の供給を遮断する、といったように、供給の制御の態様を示す設定情報を記憶部２２に記憶しておく構成とし、制御部２１が、記憶部２２に記憶された設定情報を参照して電力の供給制御を行うようにしてもよい。
【００７１】
（１９）上述の実施形態において、操作忘れが発生した場合に他の利用者が代替して操作を行うことができるようになっていてもよい。具体的には、例えば、退出した利用者が操作をし忘れた場合に、次に退出する利用者が前の操作忘れをした利用者の操作を含め、コンセント機器の操作を可能とする、といったように、オールマイティな操作を行うことができるようになっていてもよい。この場合は、例えば、予め定められた暗証番号が入力されると、登録された全てのコンセント機器２に対して制御信号Ｓ１を送信するようにしてもよい。また、例えば、お母さんは子供の部屋のコンセント機器２のオン／オフを操作でき、お父さんは全員の部屋のコンセント機器２のオン／オフを操作できる、といったように、利用者の権限を階層化しておき、ある階層以上の利用者が、他の利用者の部屋も含めてコンセント機器２のオン／オフを行うことができるようになっていてもよい。
【００７２】
（２０）上述の実施形態において、利用者による操作を２段階としてもよい。具体的には、例えば、リーダ１４ｂにタグをかざすとテンキーが表示され暗証番号の入力が促され、利用者によって暗証番号が入力されると、その利用者の部屋の電源がオフになる、といったように、２段階の操作を経ることによって電源オン／オフの確実性を向上させるようにしてもよい。また、例えば、最終退室者（管理人）などが帰宅する場合において、照合操作（タグをかざす操作）と暗証番号入力の操作との両方の操作が行われた場合にのみ電源をオフできるようにしてもよい。
【００７３】
（２１）上述したＲＯＭ又は記憶部１２に記憶されているプログラムは、磁気記録媒体（磁気テープ、磁気ディスク（ＨＤＤ（Hard Disk Drive）、ＦＤ（Flexible Disk））など）、光記録媒体（光ディスクなど）、光磁気記録媒体、半導体メモリなどのコンピュータ読取可能な記録媒体に記憶した状態で提供し得る。また、インターネット等の通信回線を介して制御装置１にダウンロードさせてもよい。
【符号の説明】
【００７４】
１…制御装置、２…コンセント機器、３…タグ、１１，２１…制御部、１２，２２…記憶部、１３，２３…無線通信部、１４…情報入力部、２４…操作部、２５…プラグ部、２６…差込口部、２７…電線、２８…電源供給回路、２９…供給切替部、３０…電力供給制御部、９３…デッドボルト、１０２…玄関ドア、１０３…電気錠、１０４…ドア枠、１０３１…ストライクボックス、１０３２…ストライク板、１０３３…止めねじ。
【図１】
2013070326.tif 000003
【図２】
2013070326.tif 000004
【図３】
2013070326.tif 000005
【図４】
2013070326.tif 000006
【図５】
2013070326.tif 000007
【図６】
2013070326.tif 000008
【図７】
2013070326.tif 000009
【図８】
2013070326.tif 000010
【図９】
2013070326.tif 000011
【図１０】
2013070326.tif 000012
【図１１】
2013070326.tif 000013
【図１２】
2013070326.tif 000014
【図１３】
2013070326.tif 000015
【図１４】
2013070326.tif 000016
【図１５】
2013070326.tif 000017
【図１６】
2013070326.tif 000018
【図１７】
2013070326.tif 000019
【図１８】
2013070326.tif 000020
【図１９】
2013070326.tif 000021
【図２０】
2013070326.tif 000022
【図２１】
2013070326.tif 000023
【図２２】
2013070326.tif 000024